(57)【特許請求の範囲】
【請求項１】
正極活物質層を有する正極板と負極活物質層を有する負極板とを、セパレータを介して扁平に捲回してなる扁平捲回型電極体を備え、
上記セパレータは、
上記正極活物質層の上記扁平捲回型電極体の捲回軸に沿う軸線方向の端縁、及び、上記負極活物質層の上記軸線方向の端縁のいずれかと近接する端縁近接部を有し、
上記端縁近接部は、
上記扁平捲回型電極体の湾曲部に配置された湾曲配置部を含み、
上記セパレータは、
前記扁平捲回型電極体の捲回周方向に互いに間隔を空けて分散して配置され、亀裂の発生または亀裂の進行を抑止する複数の抑止部を、
上記端縁近接部のみに、かつ、
上記端縁近接部のうち少なくとも上記湾曲配置部に有する
電池。
【請求項２】
請求項１に記載の電池であって、
前記セパレータは、
ポリマが配向した多孔質の樹脂材からなり、
前記抑止部は、
この抑止部における上記ポリマの配向状態を他の部位における上記ポリマの配向状態とは異ならせてなる
電池。
【請求項３】
請求項２に記載の電池であって、
前記セパレータは、
前記ポリマが所定の方向に配向する配向性を有してなり、
前記抑止部は、
前記他の部位よりも上記配向性が低くされてなる
電池。
【請求項４】
請求項３に記載の電池であって、
前記所定の方向は、
前記扁平捲回型電極体の捲回周方向である
電池。
【請求項５】
請求項４に記載の電池であって、
前記抑止部は、
加熱した部材で前記樹脂材を厚さ方向に押圧して、自身の厚みが周囲の上記樹脂材の厚みよりも薄くされた押圧熱処理部である
電池。
【請求項６】
請求項１〜請求項５のいずれか１項に記載の電池であって、
前記抑止部は、
前記セパレータの前記端縁近接部から、上記セパレータの幅方向外側に延びて、上記セパレータの端縁に届く形態である
電池。
【請求項７】
請求項１〜請求項６のいずれか１項に記載の電池であって、
前記セパレータは、
前記扁平捲回型電極体において、前記正極板の径方向外側に位置する第１セパレータと、
上記扁平捲回型電極体において、前記負極板の上記径方向外側に位置する第２セパレータと、を有し、
上記扁平捲回型電極体は、
上記正極板、上記第１セパレータ、上記負極板及び上記第２セパレータを捲回してなり、
上記第１セパレータ及び上記第２セパレータにおいて、前記軸線方向の両側にそれぞれ位置する前記端縁近接部はいずれも、
少なくとも前記湾曲配置部に前記抑止部を有する
電池。
【請求項８】
請求項１〜請求項７のいずれか１項に記載の電池であって、
前記セパレータは、
前記端縁近接部の捲回周方向全体に亘って前記抑止部が形成されてなる
電池。
【発明の詳細な説明】
【技術分野】
【０００１】
本発明は、正極板及び負極板を扁平に捲回した扁平捲回型電極体を備える電池に関する。
【背景技術】
【０００２】
近年、ハイブリッド自動車、電気自動車などの車両や、ノート型パソコン、ビデオカムコーダなどのポータブル電子機器の駆動用電源に、充放電可能な電池が利用されている。このような電池として、例えば、集電体（後述の電極板に対応）を捲回軸の周りに捲回し、横断面が扁平な長円形状とされた電極体（後述の扁平捲回型電極体に対応）を備える電池がある（例えば、特許文献１に記載の電池）。
【先行技術文献】
【特許文献】
【０００３】
【特許文献１】特開２００９−２６７０５号公報
【発明の概要】
【発明が解決しようとする課題】
【０００４】
しかしながら、特許文献１に記載の電池では、例えば過充電などにより電池内の温度が上昇し、セパレータが捲回周方向に熱収縮すると、このセパレータのうち、横断面をなす長円形状の長径方向の両端部に位置し、Ｒ状に曲げられた湾曲捲回部に位置する部位が長手方向に強く引っ張られる。このため、湾曲捲回部においてセパレータが、径方向内側（内周側）に隣りあう正極活物質層（または負極活物質層）の端縁の角部に強く当接することがある。すると、ここを起点として長手方向に進行する亀裂がセパレータに生じ、この亀裂を通じて正極板と負極板との間で短絡してしまう虞がある。【０００５】
本発明は、かかる問題を鑑みてなされたものであって、電池内で温度上昇しても、正極板と負極板との短絡が生じるのを抑制した電池を提供することを目的とする。
【課題を解決するための手段】
【０００６】
本発明の一態様は、正極活物質層を有する正極板と負極活物質層を有する負極板とを、セパレータを介して扁平に捲回してなる扁平捲回型電極体を備え、上記セパレータは、上記正極活物質層の上記扁平捲回型電極体の捲回軸に沿う軸線方向の端縁、及び、上記負極活物質層の上記軸線方向の端縁のいずれかと近接する端縁近接部を有し、上記端縁近接部は、上記扁平捲回型電極体の湾曲部に配置された湾曲配置部を含み、上記セパレータは、
前記扁平捲回型電極体の捲回周方向に互いに間隔を空けて分散して配置され、亀裂の発生または亀裂の進行を抑止する複数の抑止部を、上記端縁近接部のみに、かつ、上記端縁近接部のうち少なくとも上記湾曲配置部に有する電池である。
【０００７】
上述の電池では、セパレータの端縁近接部のうち、少なくとも扁平捲回型電極体（以下、単に電極体ともいう）の湾曲部に配置した湾曲配置部に抑止部を有する。このため、この電池では、使用時に電池内の温度が上昇して、セパレータが捲回周方向に熱収縮した場合でも、抑止部を設けた端縁近接部において亀裂が生じたり進行して、この亀裂を通じて正極板と負極板との間に短絡が生じるのを抑制することができる。【０００８】
なお、「端縁近接部」とは、電極体において、セパレータのうち、電極体の径方向内側に隣りあう正極活物質層の軸線方向の端縁、又は、負極活物質層の軸線方向の端縁に対して、径方向外側から近接する部位を指す。また、「湾曲部」とは、電極体のうち、この電極体の横断面の長径方向の両端部に位置し、正極板、負極板及びセパレータがそれぞれＲ状に湾曲している部位である。
【０００９】
また、複数の「抑止部」としては、例えば、樹脂材をなすポリマの配向状態（配向する方向や配向の程度）を異ならせた部位や、樹脂材に樹脂テープを貼り付けたり、樹脂層を形成するなどにより補強した部位が挙げられる。また、この複数の「抑止部」の形態及び配置としては、端縁近接部のうちの湾曲配置部に形成した形態、例えば、湾曲配置部の捲回周方向全体に亘って複数の抑止部を破線状に分散して配置した形態（湾曲配置部を捲回周方向に見たとき、その全体に「抑止部」と「抑止部でない部分」とを交互に配置した形態）も挙げられる。そのほか、端縁近接部全体に亘って形成した形態、例えば、端縁近接部の捲回周方向全体に亘って複数の抑止部を破線状に分散して配置した形態も挙げられる。
【００１０】
また、「扁平捲回型電極体」としては、この電極体をなす電極板（正極板或いは負極板）からリード（タブ）部材を延出させた形態のものや、電極板に端子部材を接続した形態のものが挙げられる。後者の場合、具体的には、正極板のうち正極箔が露出した部位に正極端子部材を、負極板のうち負極箔が露出した部位に負極端子部材をそれぞれ接続した形態のものが挙げられる。また、電極板をなす電極箔の材質として、活物質層、電池に用いる電解液、相手側の電極箔の材料等を考慮して適宜選択できるが、電気抵抗率の小さいものが好ましい。正極板の場合、正極箔の材質としては、例えばアルミニウム、また、負極板の場合、負極箔の材質としては、例えば銅がそれぞれ挙げられる。【００１１】
また、「正極板」の形態としては、例えば、帯状の正極箔上に長手方向（捲回周方向）に延びる帯状の正極活物質層を有する形態が挙げられる。また、「負極板」の形態としては、帯状の負極箔上に長手方向（捲回周方向）に延びる帯状の負極活物質層を有する形態が挙げられる。「セパレータ」としては、電極体において、正極板の、電極体の径方向外側に位置する第１セパレータや、電極体において、負極板の径方向外側に位置する第２セパレータが挙げられる。なお、これら第１セパレータと第２セパレータとは、別体でも一体（例えば、１枚の樹脂材を捲回軸付近で折りたたんで、第１セパレータ及び第２セパレータとして用いるもの）でも良い。【００１２】
さらに、上述の電池において、前記正極活物質層の前記端縁及び前記負極活物質層の前記端縁の少なくともいずれかは、切断により上記正極板又は負極板の形成時にできた切断端縁を有し、前記セパレータの前記端縁近接部のうち、上記切断端縁の径方向外側に隣りあう切断端縁近接部は、少なくとも前記湾曲捲回部内に位置する部位に前記抑止部を有する電池とするのが好ましい。【００１３】
さらに、上述のいずれかの電池において、前記正極板は、アルミニウムからなる帯状の正極箔上に捲回周方向に延びる帯状の前記正極活物質層を有し、前記負極板は、銅からなる帯状の負極箔上に上記捲回周方向に延びる前記負極活物質層を有し、前記セパレータは、前記扁平捲回型電極体において、上記正極板の径方向外側に位置する第１セパレータと、上記負極板の上記径方向外側に位置する第２セパレータと、を有し、上記扁平捲回型電極体は、捲回軸に沿う軸線方向の一方側に上記正極板の上記正極箔が露出し、上記軸線方向の他方側に上記負極板の上記負極箔が露出し、前記端縁近接部のうち、上記第１セパレータの上記一方側に位置する第１端縁近接部、及び、上記第２セパレータの上記一方側に位置する第３端縁近接部のうち、少なくとも前記湾曲部内に配置された部位に前記抑止部を設けてなる電池が好ましい。【００１４】
なお、第１セパレータの端縁近接部としては、軸線方向の一方側に位置する第１端縁近接部、及び、他方側に位置する第２端縁近接部が挙げられる。また、第２セパレータの端縁近接部としては、軸線方向の一方側に位置する第３端縁近接部、及び、他方側に位置する第４端縁近接部が挙げられる。【００１５】
さらに、上述の電池であって、前記セパレータは、ポリマが配向した多孔質の樹脂材からなり、前記抑止部は、この抑止部における上記ポリマの配向状態を他の部位における上記ポリマの配向状態とは異ならせてなる電池とすると良い。【００１６】
なお、「配向状態」とは、樹脂材のポリマが配向する方向や、ポリマの配向の程度を指す。また、配向状態を異ならせる手法としては、例えば、赤外線照射などを用いて、樹脂材を押圧しないで加熱する手法や、押圧装置を用いて、樹脂材を厚さ方向に押圧しながら加熱して作製する手法が挙げられる。【００１７】
さらに、上述の電池であって、前記セパレータは、前記ポリマが所定の方向に配向する配向性を有してなり、前記抑止部は、前記他の部位よりも上記配向性が低くされてなる電池とすると良い。【００１８】
さらに、上述の電池であって、前記所定の方向は、前記扁平捲回型電極体の捲回周方向である電池とすると良い。【００１９】
さらに、上述の電池であって、前記抑止部は、加熱した部材で前記樹脂材を厚さ方向に押圧して、自身の厚みが周囲の上記樹脂材の厚みよりも薄くされた押圧熱処理部である電池とすると良い。【００２０】
さらに、上述のいずれかの電池であって、前記抑止部は、前記セパレータの前記端縁近接部から、上記セパレータの幅方向外側に延びて、上記セパレータの端縁に届く形態である電池とすると良い。【００２２】
さらに、上述のいずれかの電池であって、前記セパレータは、前記扁平捲回型電極体において、前記正極板の径方向外側に位置する第１セパレータと、上記扁平捲回型電極体において、前記負極板の上記径方向外側に位置する第２セパレータと、を有し、上記扁平捲回型電極体は、上記正極板、上記第１セパレータ、上記負極板及び上記第２セパレータを捲回してなり、上記第１セパレータ及び上記第２セパレータにおいて、前記軸線方向の両側にそれぞれ位置する前記端縁近接部はいずれも、少なくとも前記湾曲配置部に前記抑止部を有する電池とすると良い。
【００２３】
さらに、上述のいずれかの電池であって、前記セパレータは、前記端縁近接部の捲回周方向全体に亘って前記抑止部が形成されてなる電池とすると良い。【００２４】
さらに、上述の電池において、前記セパレータは、前記扁平捲回型電極体において、前記正極板の径方向外側に位置する第１セパレータと、前記負極板の上記径方向外側に位置する第２セパレータと、を有し、上記第１セパレータ及び上記第２セパレータはいずれも、上記扁平捲回型電極体の捲回軸に沿う軸線方向の両側に２つの端縁をそれぞれ有し、前記捲回周方向のうち、捲回の際に先に巻かれる側を内周捲回側としたとき、上記第１セパレータ及び上記第２セパレータは、上記端縁のいずれからも上記軸線方向内側かつ上記内周捲回側に向けて斜めに延びる複数の短線状の前記抑止部を有する電池とするのが好ましい。【００２５】
なお、軸線方向と短線状の抑止部の延びる方向とがなす角度をθとしたとき、角θを０°よりも大きく７５°以下の範囲とするのが好ましい（０°＜θ≦７５°）。角θを０°より大きくすることで、電池（電極体）において第１セパレータ及び第２セパレータにしわが発生するのを抑制できる。
【図面の簡単な説明】
【００２６】
【図１】実施形態にかかる電池の斜視図である。
【図２】実施形態にかかる電池の断面図（図１のＡ−Ａ断面）である。
【図３】実施形態の扁平捲回型電極体の部分切欠端面図である。
【図４】実施形態にかかる電池の断面図（図２のＢ−Ｂ断面）である。
【図５】実施形態の正極板（負極板）の斜視図である。
【図６】実施形態の正極板（負極板）の部分拡大断面図（図５のＣ部）である。
【図７】実施形態の第１セパレータ（第２セパレータ）の斜視図である。
【図８】実施形態の扁平捲回型電極体を、長径方向及び捲回軸に平行に切断した断面の一部（湾曲捲回部）を拡大した部分拡大断面図である。
【図９】セパレータに長手方向の熱収縮が生じた際に、扁平捲回型電極体においてセパレータが受ける応力を説明する説明図である。
【図１０】セパレータに長手方向の熱収縮が生じた後の、扁平捲回型電極体の湾曲捲回部の拡大断面図である。
【図１１】セパレータの湾曲端縁近接部に亀裂が生じた状態の説明図である。
【図１２】セパレータの湾曲端縁近接部に生じた亀裂が進行した状態の説明図である。
【図１３】セパレータに軸線方向（短手方向）にも熱収縮が生じた後の、扁平捲回型電極体の湾曲捲回部の拡大断面図である。
【図１４】実施形態の電池の製造方法のうち、第１セパレータ及び第２セパレータを作製する方法及び装置の説明図である。
【図１５】実施形態の電池の製造方法のうちの捲回工程を説明する説明図である。
【図１６】電極体の他の形態を示す説明図である。
【図１７】電極体の他の形態を示す説明図である。
【図１８】電極体の他の形態を示す説明図である。
【図１９】電極体の他の形態を示す説明図である。
【図２０】電極体の他の形態を示す説明図である。
【図２１】電極体の他の形態を示す説明図である。
【図２２】電極体の他の形態を示す説明図である。
【図２３】電極体の参考形態を示す説明図である。
【符号の説明】
【００２７】
１  電池
１０  電極体（扁平捲回型電極体）
１１  湾曲捲回部（湾曲部）
２０  正極板
２１  正極活物質層
２１Ｓ  （正極活物質層の）第１端縁（端縁）
２１Ｔ  （正極活物質層の）第２端縁（端縁）
３０  負極板（電極板）
３１  負極活物質層（活物質層）
３１Ｓ  （負極活物質層の）第１端縁（端縁）
３１Ｔ  （負極活物質層の）第２端縁（端縁）
４０  第１セパレータ（セパレータ）
４１  第１端縁近接部（端縁近接部）
４１Ｒ  （第１端縁近接部の）湾曲配置部
４２  第２端縁近接部（端縁近接部）
４２Ｒ  （第２端縁近接部の）湾曲配置部
４６Ａ  （第１セパレータの）第１端縁（（セパレータの）端縁）
４６Ｂ  （第１セパレータの）第２端縁（（セパレータの）端縁）
５０  第２セパレータ（セパレータ）
５１  第３端縁近接部（端縁近接部）
５１Ｒ  （第３端縁近接部の）湾曲配置部
５２  第４端縁近接部（端縁近接部）
５２Ｒ  （第４端縁近接部の）湾曲配置部
５６Ａ  （第２セパレータの）第１端縁（（セパレータの）端縁）
５６Ｂ  （第２セパレータの）第２端縁（（セパレータの）端縁）
１１０  抑止部形成ロール（加熱した部材）
ＡＸ  捲回軸
ＣＳ１，ＣＳ２，ＣＳ３，ＣＳ４  抑止部（押圧熱処理部）
ＤＡ  捲回周方向（所定の方向）
ＤＡ１  内周捲回側
ＤＬ  長径方向
ＤＲ２  径方向外側
ＤＴ  厚さ方向
ＤＷ  幅方向
ＤＸ  軸線方向
ＫＭ  樹脂材
Ｔ１  第１厚み（（樹脂材の）厚み）
Ｔ２  第２厚み（（抑止部の）厚み）
【発明を実施するための形態】
【００２８】
（実施形態）
次に、本発明の実施形態にかかる電池について、図面を参照しつつ説明する。まず、実施形態にかかる電池１について、図１〜４を参照して説明する。この電池１は、いずれも帯状の正極板２０、負極板３０、第１セパレータ４０及び第２セパレータ５０を有し、これらを捲回軸ＡＸの周りに捲回した扁平捲回型の電極体１０を備える（図１〜４参照）。また、この電極体１０の正極板２０に接続された正極端子部材６０、負極板３０に接続された負極端子部材７０、及び、電極体１０を内部に収容する電池ケース８０を備える（図１，２参照）。これらのほか、電極体１０内に、エチレンカーボネート（ＥＣ）とエチルメチルカーボネート（ＥＭＣ）との混合有機溶媒に溶質（ＬｉＰＦ６）を添加してなる電解液（図示しない）を備える。
【００２９】
このうち、電池ケース８０は、共にアルミニウム製の電池ケース本体８１及び封口蓋８２を有する。このうち電池ケース本体８１は有底矩形箱形であり、この電池ケース本体８１と電極体１０との間には、樹脂からなり、箱状に折り曲げた絶縁フィルム（図示しない）が介在させてある。
【００３０】
また、封口蓋８２は矩形板状であり、電池ケース本体８１の開口を閉塞して、この電池ケース本体８１に溶接されている。この封口蓋８２は、正極端子部材６０を電池ケース８０の内部から外部に貫通させるための第１貫通孔８２Ｘ、及び、負極端子部材７０を電池ケース８０の内部から外部に貫通させるための第２貫通孔８２Ｙを有する（図２参照）。なお、第１貫通孔８２Ｘと正極端子部材６０との間、及び、第２貫通孔８２Ｙと負極端子部材７０との間には、それぞれ絶縁性の樹脂からなる絶縁部材９５が介在し、互いを絶縁している。また、封口蓋８２の蓋表面８２ａには、第１貫通孔８２Ｘと第２貫通孔８２Ｙとの間の位置に、矩形板状の安全弁９７が封着されている。
【００３１】
また、単一のアルミニウム材からなる正極端子部材６０は、クランク形状を有する（図２参照）。この正極端子部材６０は、基端側（電極体１０側）に位置し、正極板２０（後述する正極露出部２０Ｇ）に接続された正極接続部６１と、先端側（即ち、電池ケース８０の外側）に位置し、電池１の正極側の外部端子をなす正極端子部６２とを有する（図２参照）。
【００３２】
また、単一の銅材からなる負極端子部材７０は、正極端子部材６０と同様、クランク形状を有する（図２参照）。この負極端子部材７０は、基端側（電極体１０）に位置し、負極板３０（後述する負極露出部３０Ｇ）に接続された負極接続部７１と、先端側（即ち、電池ケース８０の外側）に位置し、電池１の負極側の外部端子をなす負極端子部７２とを有する（図２参照）。
【００３３】
次いで、電極体１０について説明する。まず、この電極体１０をなす正極板２０は、図５の斜視図に示すように、長手方向ＤＣに延びる帯状で、アルミニウムからなる正極箔２８と、この正極箔２８上（正極箔２８の両主面上）に形成され、正極箔２８の長手方向ＤＣに延びる帯状の２つの正極活物質層２１，２１とを有している。この正極板２０は、短手方向ＤＢの一方側（図５中、右下側）に位置し、長手方向ＤＣに延びた帯状に正極箔２８が露出する帯状の正極露出部２０Ｇ、及び、他方側（図５中、左上側）に位置し、正極箔２８の両面に正極活物質層２１を積層した積層体である正極積層部２０Ｆをそれぞれ有している。
【００３４】
なお、正極板２０における短手方向ＤＢの端部のうち、正極露出部２０Ｇとは逆側の（即ち、正極積層部２０Ｆの端部となる）正極端部２０Ｘは、正極板２０を作製する際、正極箔２８と正極活物質層２１との積層体をその厚さ方向ＤＴに切断してできた切断端縁である。このため、この正極端部２０Ｘをなす正極活物質層２１の端縁（後述する正極活物質層２１の第２端縁２１Ｔ）は、その角部ＡＮが尖った形状になりがちである（図６参照）。
【００３５】
また、負極板３０は、図５の斜視図に示すように、長手方向ＤＣに延びる帯状で、銅からなる負極箔３８と、この負極箔３８上（負極箔３８の両主面上）に形成され、負極箔３８の長手方向ＤＣに延びる帯状の２つの負極活物質層３１，３１とを有している。この負極板３０は、短手方向ＤＢの一方側（図５中、右下側）に位置し、長手方向ＤＣに延びた帯状に負極箔３８が露出する帯状の負極露出部３０Ｇ、及び、他方側（図５中、左上側）に位置し、負極箔３８の両面に負極活物質層３１を積層した積層体である負極積層部３０Ｆをそれぞれ有している。
【００３６】
なお、正極側と同様、負極板３０における短手方向ＤＢの端部のうち、負極露出部３０Ｇとは逆側の（即ち、負極積層部３０Ｆの端部となる）負極端部３０Ｘは、負極板３０の作製時、負極箔３８と負極活物質層３１との積層体をその厚さ方向ＤＴに切断してできた切断端縁である。このため、この負極端部３０Ｘをなす負極活物質層３１の端縁（後述する負極活物質層３１の第１端縁３１Ｓ）は、その角部ＡＮが尖った形状になりがちである（図６参照）。
【００３７】
また、第１セパレータ４０及び第２セパレータ５０は、それぞれ帯状で多孔質の樹脂材ＫＭ（厚さ方向ＤＴの寸法（第１厚みＴ１）が２０μｍ）からなる。なお、この樹脂材ＫＭは、具体的には、ポリプロピレン（ＰＰ）製の２枚のフィルムの間にポリエチレン（ＰＥ）製の１枚のフィルムを重ね合わせたものを、熱をかけながら長手方向ＤＣに引き延ばし、その状態を維持しつつ冷却して作製したものである。このため、この樹脂材ＫＭをなしているポリマは長手方向ＤＣに配向しており、第１セパレータ４０及び第２セパレータ５０に亀裂が生じると、長手方向ＤＣにその亀裂が進行しやすい。
【００３８】
そこで、第１セパレータ４０は、図７に示すように、幅方向ＤＷの両端縁である２つの端縁４６Ａ，４６Ｂに沿って多数の抑止部ＣＳ１，ＣＳ２を、また、第２セパレータ５０は、短手方向ＤＢの両端縁である２つの端縁５６Ａ，５６Ｂに沿って、多数の抑止部ＣＳ３，ＣＳ４をそれぞれ有する。具体的には、図３に示すように、多数の抑止部ＣＳ１，ＣＳ１は、電極体１０において、第１セパレータ４０のうち、軸線方向ＤＸの一方側（図３中、左側）で捲回周方向ＤＡに延びる第１セパレータ４０の第１端縁４６Ａに沿って配置されている。また、抑止部ＣＳ２は、電極体１０において、軸線方向ＤＸの他方側（図３中、右側）で捲回周方向ＤＡに延びる第１セパレータ４０の第２端縁４６Ｂに沿って配置されている。また、抑止部ＣＳ３は、電極体１０において、第２セパレータ５０のうち、軸線方向ＤＸの一方側（図３中、左側）で捲回周方向ＤＡに延びる第２セパレータ５０の第１端縁５６Ａに沿って配置されている。また、抑止部ＣＳ４は、電極体１０において、軸線方向ＤＸの他方側（図３中、右側）で捲回周方向ＤＡに延びる第２セパレータ５０の第２端縁５６Ｂに沿って配置されている。なお、第１セパレータ４０及び第２セパレータ５０の各長手方向ＤＣと、電極体１０における捲回周方向ＤＡとは一致している。
【００３９】
これら抑止部ＣＳ１〜ＣＳ４は、第１セパレータ４０及び第２セパレータ５０において、亀裂の発生、または、捲回周方向ＤＡへの亀裂の進行を抑止する部位である。なお、本実施形態では、これら抑止部ＣＳ１〜ＣＳ４は、加熱により、樹脂材ＫＭをなすポリマの捲回周方向ＤＡの配向性を低下させた部位である。さらに、これら抑止部ＣＳ１，ＣＳ２，ＣＳ３，ＣＳ４は、加熱した部材（後述する抑止部形成ロール１１０）で樹脂材ＫＭを厚さ方向ＤＴに押圧して、自身の厚み（第２厚み）Ｔ２が周囲の樹脂材ＫＭの第１厚みＴ１よりも薄くされた（Ｔ２＜Ｔ１）押圧熱処理部である（図７参照）。
【００４０】
また、本実施形態では、抑止部ＣＳ１〜ＣＳ４は、それぞれ短線状をなして配置されている（図２，３，７参照）。ここで、第１セパレータ４０及び第２セパレータ５０の捲回周方向ＤＡのうち、捲回の際に先に巻かれる側を内周捲回側ＤＡ１とする（図３参照）。すると、第１セパレータ４０の抑止部ＣＳ１は、第１セパレータ４０の第１端縁４６Ａから、この第１端縁４６Ａに対して斜めで軸線方向ＤＸ内側かつ内周捲回側ＤＡ１に向けて延びる短線状である（図３参照）。しかも、この抑止部ＣＳ１は、図２，３中、破線で示す後述の第１端縁近接部４１から幅方向ＤＷ外側に延びて、第１セパレータ４０の第１端縁４６Ａに届く形態とされている。なお、第１セパレータ４０の第１端縁近接部４１において、複数の抑止部ＣＳ１，ＣＳ１が、捲回周方向ＤＡに互いに等間隔に間隔を空けて分散して配置されている（図２，３参照）。
【００４１】
また、第１セパレータ４０の抑止部ＣＳ２は、第１セパレータ４０の第２端縁４６Ｂから、この第２端縁４６Ｂに対して斜めで軸線方向ＤＸ内側かつ内周捲回側ＤＡ１に向けて延びる短線状である（図３参照）。その上、この抑止部ＣＳ２は、図２，３中、破線で示す後述の第２端縁近接部４２から幅方向ＤＷ外側に延びて、第１セパレータ４０の第２端縁４６Ｂに届く形態とされている。なお、第１セパレータ４０の第２端縁近接部４２において、複数の抑止部ＣＳ２，ＣＳ２が、捲回周方向ＤＡに互いに等間隔に間隔を空けて分散して配置されている（図２，３参照）。
【００４２】
また、第２セパレータ５０の抑止部ＣＳ３は、第２セパレータ５０の第１端縁５６Ａから、この第１端縁５６Ａに対して斜めで軸線方向ＤＸ内側かつ内周捲回側ＤＡ１に向けて延びる短線状である（図３参照）。しかも、この抑止部ＣＳ３は、図２，３中、破線で示す後述の第３端縁近接部５１から幅方向ＤＷ外側に延びて、第２セパレータ５０の第１端縁５６Ａに届く形態とされている。なお、第２セパレータ５０の第３端縁近接部５１において、複数の抑止部ＣＳ３，ＣＳ３が、捲回周方向ＤＡに互いに等間隔に間隔を空けて分散して配置されている（図２，３参照）。
【００４３】
また、第２セパレータ５０の抑止部ＣＳ４は、第２セパレータ５０の第２端縁５６Ｂから、この第２端縁５６Ｂに対して斜めで軸線方向ＤＸ内側かつ内周捲回側ＤＡ１に向けて延びる短線状である（図３参照）。その上、この抑止部ＣＳ４は、図２，３中、破線で示す後述の第４端縁近接部５２から幅方向ＤＷ外側に延びて、第２セパレータ５０の第２端縁５６Ｂに届く形態とされている。なお、第２セパレータ５０の第４端縁近接部５２において、複数の抑止部ＣＳ４，ＣＳ４が、捲回周方向ＤＡに互いに等間隔に間隔を空けて分散して配置されている（図２，３参照）。
【００４４】
また、上述した短線状の各抑止部ＣＳ１〜ＣＳ４について、各抑止部ＣＳ１〜ＣＳ４の延びる方向と短手方向ＤＢ（電極体１０の軸線方向ＤＸ）とがなす角度をそれぞれθ１〜θ４としたとき、角θ１〜θ４を０°よりも大きく７５°以下の範囲（本実施形態ではθ１，θ２，θ３，θ４＝７５°）としている（図３，７参照）。
【００４５】
前述した第１セパレータ４０、負極板３０、第２セパレータ５０及び正極板２０を捲回した電極体１０では、この電極体１０を捲回軸ＡＸに垂直に切断した横断面ＰＪ（図１のハッチング部分）が、扁平な長円形状をなしている（図１，４参照）。なお、正極板２０及び負極板３０の各長手方向ＤＣと、電極体１０における捲回周方向ＤＡとは一致している。そして、電極体１０は、横断面ＰＪがなす長円形状の長径方向ＤＬの両端部にそれぞれ位置し、第１セパレータ４０、負極板３０、第２セパレータ５０及び正極板２０が、それぞれＲ状に湾曲して配置された２つの湾曲捲回部１１，１１と、長径方向ＤＬに２つの湾曲捲回部１１，１１に挟まれ、これらの間に位置し正極板２０等がいずれも平板状とされた中央捲回部１６とを有する（図４参照）。
【００４６】
図８に、長径方向ＤＬ及び捲回軸ＡＸに平行な断面において、電極体１０の一部（湾曲捲回部１１）を拡大した拡大断面図を示す。なお、この図８では、電極体１０の捲回軸ＡＸが、図８の下方に位置する（図示しない）ため、図８中、下方側が電極体１０の径方向内側（内周側）ＤＲ１となり、図８中、上方側が径方向外側（外周側）ＤＲ２となる。
【００４７】
本実施形態にかかる電池１の電極体１０では、第１セパレータ４０、負極板３０、第２セパレータ５０及び正極板２０の順に重ねて捲回されている（図８参照）。このため、電極体１０において、正極板２０の径方向外側ＤＲ２に第１セパレータ４０が、負極板３０の径方向外側ＤＲ２に第２セパレータ５０がそれぞれ位置している（図８参照）。
【００４８】
また、この電極体１０において、正極板２０は、前述した正極露出部２０Ｇが捲回軸ＡＸに沿う軸線方向ＤＸのうち一方側（図８中、左側）に、前述した正極積層部２０Ｆが軸線方向ＤＸの他方側（図８中、右側）にそれぞれ位置するように配置されている（図８参照）。従って、正極板２０について見ると、前述した正極端部２０Ｘ（図６参照）は、軸線方向ＤＸの他方側に位置している（図８参照）。なお、正極板２０の正極活物質層２１のうち、軸線方向ＤＸの一方側で捲回周方向ＤＡ（図８において紙面に垂直）に延びる端縁を正極活物質層２１の第１端縁２１Ｓとし、軸線方向ＤＸの他方側で捲回周方向ＤＡに延びる端縁を正極活物質層２１の第２端縁２１Ｔとする。これら第１端縁２１Ｓ及び第２端縁２１Ｔのうち、正極端部２０Ｘをなす第２端縁２１Ｔは切断端縁であるので、その角部ＡＮが尖った形状となりがちである（図８参照）。
【００４９】
また、この電極体１０において、負極板３０は、前述した負極露出部３０Ｇが軸線方向ＤＸのうち他方側（図８中、右側）に、前述した負極積層部３０Ｆが軸線方向ＤＸの一方側（図８中、左側）にそれぞれ位置するように配置されている（図８参照）。従って、負極板３０について見ると、前述した負極端部３０Ｘ（図６参照）は、軸線方向ＤＸの一方側に位置している（図８参照）。なお、負極板３０の負極活物質層３１のうち、軸線方向ＤＸの一方側で捲回周方向ＤＡ（図８において紙面に垂直）に延びる端縁を負極活物質層３１の第１端縁３１Ｓとし、軸線方向ＤＸの他方側で捲回周方向ＤＡに延びる端縁を負極活物質層３１の第２端縁３１Ｔとする。これら第１端縁３１Ｓ及び第２端縁３１Ｔのうち、負極端部３０Ｘをなす第１端縁３１Ｓは切断端縁であるので、その角部ＡＮが尖った形状となりがちである（図８参照）。
【００５０】
また、電極体１０において、第１セパレータ４０は、径方向内側ＤＲ１に隣りあう正極活物質層２１よりも幅広で、この正極活物質層２１全体を覆うように配置される。このため、第１セパレータ４０は、電極体１０において径方向内側ＤＲ１に隣りあう正極活物質層２１の第１端縁２１Ｓに対して、径方向外側（外周側）ＤＲ２（図８中、上方側）から近接する第１端縁近接部４１、及び、正極活物質層２１の第２端縁２１Ｔに対して、径方向外側ＤＲ２から近接する第２端縁近接部４２を有する（図８参照）。このうち、軸線方向ＤＸ（幅方向ＤＷ）の一方側に位置する第１端縁近接部４１は、図３に示すように、第１セパレータ４０の捲回周方向ＤＡに延び、湾曲捲回部１１内に位置する湾曲配置部４１Ｒと、中央捲回部１６内に位置する中央配置部４１Ｃとからなり、捲回周方向ＤＡにこれらが交互に現れている。また、軸線方向ＤＸ（幅方向ＤＷ）の他方側に位置する第２端縁近接部４２は、第１端縁近接部４１と同様、第１セパレータ４０の捲回周方向ＤＡに延び、湾曲捲回部１１内に位置する湾曲配置部４２Ｒと、中央捲回部１６内に位置する中央配置部４２Ｃとからなり、捲回周方向ＤＡにこれらが交互に現れている（図３参照）。
【００５１】
なお、電極体１０は、前述した図７に示す第１セパレータ４０を捲回軸ＡＸの周りに捲回している。このため、図２，３に示すように、この第１セパレータ４０のうち、第１端縁近接部４１全体に亘って前述した多数の抑止部ＣＳ１，ＣＳ１が、第２端縁近接部４２全体に亘って多数の抑止部ＣＳ２，ＣＳ２がそれぞれ設けられている。
【００５２】
また、電極体１０において、第２セパレータ５０は、径方向内側ＤＲ１に隣りあう負極活物質層３１よりも幅広で、この負極活物質層３１全体を覆うように配置される。このため、第２セパレータ５０は、電極体１０において径方向内側ＤＲ１に隣りあう負極活物質層３１の第１端縁３１Ｓに対して、径方向外側ＤＲ２から近接する第３端縁近接部５１、及び、負極活物質層３１の第２端縁３１Ｔの径方向外側ＤＲ２から近接する第４端縁近接部５２を有する（図８参照）。このうち、軸線方向ＤＸ（幅方向ＤＷ）の一方側に位置する第３端縁近接部５１は、図３に示すように、第２セパレータ５０の捲回周方向ＤＡに延び、湾曲捲回部１１内に位置する湾曲配置部５１Ｒと、中央捲回部１６内に位置する中央配置部５１Ｃとからなり、捲回周方向ＤＡにこれらが交互に現れている。また、軸線方向ＤＸ（幅方向ＤＷ）の他方側に位置する第４端縁近接部５２は、第３端縁近接部５１と同様、第２セパレータ５０の捲回周方向ＤＡに延び、湾曲捲回部１１内に位置する湾曲配置部５２Ｒと、中央捲回部１６内に位置する中央配置部５２Ｃとからなり、捲回周方向ＤＡにこれらが交互に現れている（図３参照）。
【００５３】
なお、電極体１０は、第１セパレータ４０と同様、前述した図７に示す第２セパレータ５０を捲回軸ＡＸの周りに捲回している。このため、図２，３に示すように、この第２セパレータ５０のうち、第３端縁近接部５１全体に亘って前述した多数の抑止部ＣＳ３，ＣＳ３が、第４端縁近接部５２全体に亘って多数の抑止部ＣＳ４，ＣＳ４がそれぞれ設けられている。
【００５４】
ところで、湾曲捲回部１１と中央捲回部１６とを有する横断面が長円形状の電極体１０において、例えば過充電などにより電池内の温度が上昇し、セパレータ４０，５０が捲回周方向ＤＡに熱収縮する場合について考える。熱がかかると、セパレータ４０，５０は湾曲捲回部１１及び中央捲回部１６で同様に捲回周方向ＤＡに熱収縮する。しかし、電極体１０が長円形状であるため、図９に示すように、中央捲回部１６におけるセパレータ４０，５０には、捲回軸ＡＸに向かう径方向の応力は生じない。一方、湾曲捲回部１１におけるセパレータ４０，５０には、径方向内側に向かう応力Ｆ１が生じる。特に、この応力Ｆ１のうち、捲回軸ＡＸから最も離れた位置における応力Ｆ１Ｍが最も大きくなると考えられる。
【００５５】
従って、電極体１０のうち、湾曲捲回部１１におけるセパレータが、径方向内側ＤＲ１に隣りあう正極活物質層（または負極活物質層）の端縁（角部）に強く当接しやすいと考えられる。つまり、セパレータ４０，５０が熱収縮した電極体１０では、図１０に示すように、湾曲捲回部１１において、セパレータ４０，５０が、径方向内側ＤＲ１に隣接する活物質層２１，３１における各端縁２１Ｓ，２１Ｔ，３１Ｓ，３１Ｔの角部ＡＮに強く当接してしまう。
【００５６】
すると、第１セパレータ４０のうち、正極活物質層２１の角部ＡＮが当接する第１端縁近接部４１の湾曲配置部４１Ｒ、または、第２端縁近接部４２の湾曲配置部４２Ｒ、あるいは、第２セパレータ５０のうち、負極活物質層３１の角部ＡＮが当接する第３端縁近接部５１の湾曲配置部５１Ｒ、または、第４端縁近接部５２の湾曲配置部５２Ｒにおいて亀裂が生じる。なお、第１セパレータ４０及び第２セパレータ５０では、これをなす樹脂材ＫＭのポリマが捲回周方向ＤＡ（長手方向ＤＣ）に配向しているため、捲回周方向ＤＡに亀裂が進行することがある。
【００５７】
しかるに、本実施形態では、各セパレータ４０，５０において、湾曲配置部４１Ｒ，４２Ｒ，５１Ｒ，５２Ｒを含め、各端縁近接部４１，４２，５１，５２全体に亘って抑止部ＣＳ１〜ＣＳ４が形成されている。これら抑止部ＣＳ１〜ＣＳ４は、自身に亀裂が生じ難い。また、図１１に示すように、例えば、第１セパレータ４０の第１端縁近接部４１の湾曲配置部４１Ｒのうち、抑止部ＣＳ１以外の部位（抑止部ＣＳ１同士の間の部位）に亀裂ＣＴが生じた場合でも、図１２に示すように、その亀裂ＣＴを最大でも抑止部ＣＳ１の捲回周方向ＤＡの間隔寸法の大きさまでに、亀裂ＣＴの進行を抑制できる。なお、第２端縁近接部４２の湾曲配置部４２Ｒや、第２セパレータ５０の第３端縁近接部５１の湾曲配置部５１Ｒ及び第４端縁近接部５２の湾曲配置部５２Ｒにおいても、同様である。
【００５８】
以上のように、本実施形態にかかる電池１では、第１セパレータ４０は、この第１端縁近接部４１のうち、電極体１０の湾曲捲回部１１内に位置する湾曲配置部４１Ｒに抑止部ＣＳ１を、第２端縁近接部４２のうち湾曲配置部４２Ｒに抑止部ＣＳ２をそれぞれ有する。また、第２セパレータ５０は、この第３端縁近接部５１のうち湾曲配置部５１Ｒに抑止部ＣＳ３を、第４端縁近接部５２のうち湾曲配置部５２Ｒに抑止部ＣＳ４をそれぞれ有する。このため、使用時に電池１内の温度が上昇して、セパレータ（第１セパレータ４０及び第２セパレータ５０）が捲回周方向ＤＡに熱収縮した場合でも、抑止部ＣＳ１〜ＣＳ４を設けた端縁近接部４１，４２，５１，５２に亀裂が生じたり進行して、この亀裂を通じて正極板２０と負極板３０との間に短絡が生じるのを抑制できる。
【００５９】
また、セパレータ４０，５０において、抑止部ＣＳ１〜ＣＳ４の配向状態が、これ以外の部位の配向状態とは異なる。具体的には、抑止部ＣＳ１〜ＣＳ４の配向性が、これ以外の部位における配向性よりも低い。このため、セパレータ４０，５０のうち、抑止部ＣＳ１〜ＣＳ４以外の部位に比して、抑止部ＣＳ１〜ＣＳ４における亀裂の発生を確実に抑止できる。また、抑止部ＣＳ１〜ＣＳ４以外の部位（例えば、前述した図１１，１２に示す複数の抑止部ＣＳ１，ＣＳ１の間の部位）において、亀裂ＣＴが発生しポリマの配向に沿って進行しても、抑止部ＣＳ１〜ＣＳ４でこの亀裂ＣＴの進行を確実に抑止できる。
【００６０】
また、セパレータ４０，５０は、ポリマが捲回周方向ＤＡ（長手方向ＤＣ）に配向する配向性を有しているが、抑止部ＣＳ１〜ＣＳ４ではこれ以外の部位よりも配向性が低い。このため、抑止部ＣＳ１〜ＣＳ４では、亀裂の発生を確実に抑止できる。また、抑止部ＣＳ１〜ＣＳ４以外の部位において、亀裂が発生し捲回周方向ＤＡに進行しても、抑止部ＣＳ１〜ＣＳ４でこの亀裂の進行を確実に抑止できる（図１１，１２参照）。
【００６１】
なお、本実施形態における電池１のセパレータ４０，５０では、ポリマが電極体１０の捲回周方向ＤＡに配向している。このため、熱収縮したセパレータ４０，５０の端縁近接部４１，４２，５１，５２で亀裂が発生すると、捲回周方向ＤＡに亀裂が進行して、電池の短絡を生じやすい。しかしながら、電池１では、抑止部ＣＳ１〜ＣＳ４で捲回周方向ＤＡの亀裂の進行を確実に抑止できる。
【００６２】
ところで、本実施形態にかかる電池１では、正極活物質層２１の端縁のうち、前述した切断端縁である第２端縁２１Ｔの角部ＡＮは尖った形状となりがちである（図８参照）。このため、第１セパレータ４０が捲回周方向ＤＡに熱収縮した際、湾曲捲回部１１において第１セパレータ４０に生じる応力（前述した図９の応力Ｆ１）が、尖った形状の角部ＡＮの先端に集中しやすい。従って、第１セパレータ４０のうちでも、第２端縁２１Ｔに近接する第２端縁近接部４２（この湾曲配置部４２Ｒ）に亀裂が生じやすい。同じく、負極活物質層３１の端縁のうち、切断端縁である第１端縁３１Ｓの角部ＡＮもまた尖った形状となりがちである（図８参照）。このため、第２セパレータ５０が捲回周方向ＤＡに熱収縮する際、第１端縁３１Ｓに近接する第３端縁近接部５１（この湾曲配置部５１Ｒ）に亀裂が生じやすい。
【００６３】
これに対し、本実施形態にかかる電池１では、切断端縁である第２端縁２１Ｔに近接する第２端縁近接部４２のうち湾曲配置部４２Ｒに抑止部ＣＳ２を設けている。また、切断端縁である第１端縁３１Ｓに近接する第３端縁近接部５１のうち湾曲配置部５１Ｒに抑止部ＣＳ３を設けている。このため、他よりも亀裂が生じやすい湾曲配置部４２Ｒ，５１Ｒにおいて、亀裂が生じたり進行して正極板２０と負極板３０との間に短絡が生じるのを確実に抑制できる。
【００６４】
また、本実施形態にかかる電池１では、正極板２０の正極箔２８はアルミニウムからなり、負極板３０の負極箔３８はアルミニウムよりも熱伝導率が高い銅からなる。このため、電池１内の温度が上昇した場合、電極体１０には温度分布が生じる。具体的には、正極露出部２０Ｇは負極露出部３０Ｇに比べて熱が逃げにくいので、電極体１０のうち、軸線方向ＤＸの一方側（図３中、左側）の正極露出部２０Ｇ付近が高温になりやすい。従って、この電極体１０では、第１セパレータ４０及び第２セパレータ５０のうちでも、正極露出部２０Ｇに近い第１端縁近接部４１及び第３端縁近接部５１の付近が、逆側（他方側，図３中、右側）の第２端縁近接部４２及び第４端縁近接部５２の付近よりも大きく熱収縮しやすく、この第１端縁近接部４１の湾曲配置部４１Ｒ及び第３端縁近接部５１の湾曲配置部５１Ｒに亀裂が生じやすい。
【００６５】
これに対し、電池１では、抑止部ＣＳ１を、湾曲配置部４１Ｒを含む第１端縁近接部４１に、また、抑止部ＣＳ３を、湾曲配置部５１Ｒを含む第３端縁近接部５１にそれぞれ設けている。このため、他よりも亀裂が生じやすい第１端縁近接部４１の湾曲配置部４１Ｒ、及び、第３端縁近接部５１の湾曲配置部５１Ｒにおいて、亀裂が生じたり進行して正極板２０と負極板３０との間に短絡が生じるのを確実に抑制できる。
【００６６】
また、抑止部ＣＳ１〜ＣＳ４は、いずれも前述した押圧熱処理部である。多孔質の樹脂材ＫＭを厚さ方向ＤＴに押圧して厚みを薄くした分、樹脂材ＫＭの密度を上げることができる。また、押圧により樹脂材ＫＭに熱を伝えやすくなるため、抑止部ＣＳ１〜ＣＳ４は、例えば、赤外線照射などを用いて押圧せずに加熱した場合よりも、確実にポリマに熱を伝えることができ、捲回周方向ＤＡ（長手方向ＤＣ）の配向性を低下させやすい。従って、この抑止部ＣＳ１〜ＣＳ４では、抑止部ＣＳ１〜ＣＳ４を設けた湾曲配置部４１Ｒ，４２Ｒ，５１Ｒ，５２Ｒに亀裂が生じたり進行して、正極板２０と負極板３０との間に短絡が生じるのを確実に抑制できる。
【００６７】
ところで、電池１内の温度が上昇した場合に、第１セパレータ４０が軸線方向ＤＸ（幅方向ＤＷ）にも熱収縮して幅狭となることがある。この場合における湾曲捲回部１１の拡大断面図を図１３に示す。破線で示す状態から軸線方向ＤＸの熱収縮により、第１セパレータ４０が実線で示す形となった場合、正極活物質層２１の第１端縁２１Ｓに近接していた第１セパレータ４０の第１端縁近接部４１の湾曲配置部４１Ｒは、正極活物質層２１の第１端縁２１Ｓよりも軸線方向ＤＸ内側（図１３中、右側）にずれる。つまり、収縮後の第１セパレータ４０において、正極活物質層２１の第１端縁２１Ｓに近接する部位４１Ｊは、第１端縁近接部４１の湾曲配置部４１Ｒよりも軸線方向ＤＸ外側（図１３中、左側）にずれた位置になり、この部位４１Ｊで亀裂が生じやすくなる（図１３参照）。
【００６８】
しかし、本実施形態にかかる電池１では、抑止部ＣＳ１は、第１端縁近接部４１から幅方向ＤＷ外側に延びて第１セパレータ４０の第１端縁４６Ａに届く形態とされている。このため、電池１では、第１セパレータ４０が軸線方向ＤＸに熱収縮したとしても、抑止部ＣＳ１が正極活物質層２１の第１端縁２１Ｓに近接して存在する。
【００６９】
また、第１セパレータ４０の第２端縁近接部４２の湾曲配置部４２Ｒは、正極活物質層２１の第２端縁２１Ｔよりも軸線方向ＤＸ内側（図１３中、左側）にずれる。そして、正極活物質層２１の第２端縁２１Ｔに近接する部位４２Ｊで亀裂が生じやすくなる（図１３参照）。しかし、抑止部ＣＳ２は、第２端縁近接部４２から幅方向ＤＷ外側に延びて第１セパレータ４０の第２端縁４６Ｂに届く形態とされているので、抑止部ＣＳ２が正極活物質層２１の第２端縁２１Ｔに近接して存在する。
【００７０】
また、第２セパレータ５０が軸線方向ＤＸ（幅方向ＤＷ）にも熱収縮して幅狭となることがある。即ち、図１３に示すように、破線で示す状態から軸線方向ＤＸの熱収縮により、第２セパレータ５０が実線で示す形となった場合、負極活物質層３１の第１端縁３１Ｓに近接していた第２セパレータ５０の第３端縁近接部５１の湾曲配置部５１Ｒは、負極活物質層３１の第１端縁３１Ｓよりも軸線方向ＤＸ内側（図１３中、右側）にずれる。つまり、収縮後の第２セパレータ５０において、負極活物質層３１の第１端縁３１Ｓに近接する部位５１Ｊは、第３端縁近接部５１の湾曲配置部５１Ｒよりも軸線方向ＤＸ外側（図１３中、左側）にずれた位置になり、この部位５１Ｊで亀裂が生じやすくなる（図１３参照）。
【００７１】
しかし、抑止部ＣＳ３は、第３端縁近接部５１から幅方向ＤＷ外側に延びて第２セパレータ５０の第１端縁５６Ａに届く形態とされている。このため、電池１では、第２セパレータ５０が軸線方向ＤＸに熱収縮したとしても、抑止部ＣＳ３が負極活物質層３１の第２端縁３１Ｓに近接して存在する。
【００７２】
また、第２セパレータ５０の第４端縁近接部５２の湾曲配置部５２Ｒは、負極活物質層３１の第２端縁３１Ｔよりも軸線方向ＤＸ内側（図１３中、左側）にずれる。そして、負極活物質層３１の第２端縁３１Ｔに近接する部位５２Ｊで亀裂が生じやすくなる（図１３参照）。しかし、抑止部ＣＳ４は、第４端縁近接部５２から幅方向ＤＷ外側に延びて第２セパレータ５０の第２端縁５６Ｂに届く形態とされているので、抑止部ＣＳ４が負極活物質層３１の第２端縁３１Ｔに近接して存在する。
【００７３】
かくして、抑止部ＣＳ１，ＣＳ２を形成した第１セパレータ４０では、軸線方向ＤＸの熱収縮が生じても、正極活物質層２１の端縁２１Ｓ，２１Ｔ（角部ＡＮ）に近接する部位４１Ｊ，４２Ｊに亀裂が生じ進行するのを確実に抑制できる。また、抑止部ＣＳ３，ＣＳ４を形成した第２セパレータ５０では、第１セパレータ４０と同様、軸線方向ＤＸの熱収縮が生じても、負極活物質層３１の端縁３１Ｓ，３１Ｔ（角部ＡＮ）に近接する部位５１Ｊ，５２Ｊに亀裂が生じ進行するのを確実に抑制できる。
【００７４】
また、セパレータ４０，５０において、各抑止部ＣＳ１〜ＣＳ４は、捲回周方向ＤＡに互いに間隔を空けて分散形成されている。このため、もし抑止部ＣＳ１を設けた第１端縁近接部４１、抑止部ＣＳ２を設けた第２端縁近接部４２、抑止部ＣＳ３を設けた第３端縁近接部５１、或いは、抑止部ＣＳ４を設けた第４端縁近接部５２に亀裂が生じたとしても、最大でも抑止部ＣＳ１（ＣＳ２〜ＣＳ４）同士の間隔寸法の大きさまでに、亀裂の進行を抑えることができる。
【００７５】
また、樹脂材ＫＭに熱を加えて抑止部を形成する場合には、この部分に熱収縮による変形を伴う。このため、抑止部を捲回周方向ＤＡ（長手方向ＤＣ）に連続的に延ばした形態（例えば帯状）に形成したセパレータには、たわみや変形が残存しやすい。これに対し、第１セパレータ４０及び第２セパレータ５０では、各抑止部ＣＳ１〜ＣＳ４を捲回周方向ＤＡにそれぞれ分散して形成しているので、捲回周方向ＤＡに連続的に延びた形態の抑止部を形成したセパレータよりも、形成時に生じるたわみや変形を抑制できる。従って、上述の電池１（電極体１０）では、捲回した第１セパレータ４０及び第２セパレータ５０にしわ等が生じにくく、より信頼性の高い電池１とすることができる。
【００７６】
また、第１セパレータ４０及び第２セパレータ５０では、全ての湾曲配置部４１Ｒ，４２Ｒ，５１Ｒ，５２Ｒ、さらには、これらを含む全ての端縁近接部４１，４２，５１，５２に、各抑止部ＣＳ１〜ＣＳ４を設けてなる。このため、第１端縁近接部４１、第２端縁近接部４２、第３端縁近接部５１及び第４端縁近接部５２のいずれにおいても、亀裂の発生及び進行を確実に抑制できる。
【００７７】
また、電池１では、第１セパレータ４０及び第２セパレータ５０において、いずれの複数の抑止部ＣＳ１〜ＣＳ４も、端縁近接部４１，４２，５１，５２の捲回周方向ＤＡ全体に亘って形成されている。電池１の製造の際、抑止部ＣＳ１，ＣＳ２をそれぞれ形成した第１セパレータ４０、及び、抑止部ＣＳ３，ＣＳ４をそれぞれ形成した第２セパレータ５０を用いることで、抑止部ＣＳ１〜ＣＳ４の捲回周方向ＤＡの位置について考慮することなく捲回しても、抑止部ＣＳ１を第１端縁近接部４１の湾曲配置部４１Ｒに、抑止部ＣＳ２を第２端縁近接部４２の湾曲配置部４２Ｒに、抑止部ＣＳ３を第３端縁近接部５１の湾曲配置部５１Ｒに、抑止部ＣＳ４を第４端縁近接部５２の湾曲配置部５２Ｒに確実に位置させた電池１とすることができる。
【００７８】
また、第１セパレータ４０，第２セパレータ５０の抑止部ＣＳ１〜ＣＳ４を、前述したように、セパレータ４０，５０の各端縁４６Ａ，４６Ｂ，５６Ａ，５６Ｂから、軸線方向ＤＸ（短手方向ＤＢ）内側かつ内周捲回側ＤＡ１に向けて斜めに延びる形態（例えば、本実施形態では、前述した角θ１〜θ４をθ１，θ２，θ３，θ４＝７５°）としている（図７参照）。なお、このような、内周捲回側ＤＡ１に対して斜めに延びる短線状の抑止部ＣＳ１〜ＣＳ４を設けた第１セパレータ４０及び第２セパレータ５０を、正極板２０と負極板３０と共に捲回すると、例えば、本実施形態の抑止部ＣＳ１〜ＣＳ４とは、角θ１〜θ４をいずれもθ１，θ２，θ３，θ４＝０°とした点のみが異なる形態の抑止部を有するセパレータを捲回したときよりも、セパレータ自身にしわが発生し難いことが判ってきた。かくして、本実施形態にかかる電池１では、捲回の際に第１セパレータ４０及び第２セパレータ５０にしわが発生するのを抑制でき、さらに信頼性の高い電池１とすることができる。
【００７９】
次いで、本実施形態にかかる電池１の製造方法について、図面を参照しつつ説明する。まず、電極体１０をなす正極板２０を公知の手法で作製する。具体的には、長手方向ＤＣに延びる帯状で、正極箔２８と、この正極箔２８の長手方向ＤＣに延びる帯状の２つの正極活物質層２１，２１とを有する正極板２０を作製した（図５参照）。
【００８０】
また、別途、負極板３０も公知の手法で作製する。具体的には、長手方向ＤＣに延びる帯状で、負極箔３８と、この負極箔３８の長手方向ＤＣに延びる帯状の２つの負極活物質層３１，３１とを有する負極板３０を作製した（図５参照）。
【００８１】
次いで、前述した抑止部ＣＳ１〜ＣＳ４を有するセパレータ４０，５０の作製について説明する。図１４に、セパレータ４０，５０をなす樹脂材ＫＭに、押圧熱処理部である抑止部ＣＳ１〜ＣＳ４を形成する方法及び装置１００を示す。この装置１００は、帯状で未加工の樹脂材ＫＭを長手方向ＤＣに巻き出す巻出し部１３０、複数の補助ロール１５０，１５０、この補助ロール１５０と共に樹脂材ＫＭを挟み込み、樹脂材ＫＭに抑止部ＣＳ１〜ＣＳ４を形成する抑止部形成ロール１１０、樹脂材ＫＭを長手方向ＤＣに切断する切断部１２０、及び、加工（押圧熱処理及び切断）された樹脂材ＫＭ（後述する裁断前第１セパレータ４０Ｂ（裁断前第２セパレータ５０Ｂ））を巻き取る巻取り部１４０で構成されている。
【００８２】
このうち、抑止部形成ロール１１０は、金属からなり円筒形状の本体部１１２と、この本体部１１２の軸線方向ＤＫの両端に位置し、本体部１１２の円筒面から径方向外側に短線状に突出した形態の第１凸状部１１１Ａと、軸線方向ＤＫの中央に位置し、本体部１１２の円筒面から径方向外側にＶ字状に突出する第２凸状部１１１Ｂとからなる（図１４参照）。このうち、第１凸状部１１１Ａ及び第２凸状部１１１Ｂは、本体部１１２の回転方向ＤＪに複数、等間隔に間隔を空けてそれぞれ配置されている。また、図１４に示すように、第１凸状部１１１Ａは、軸線方向ＤＫに対し、この軸線方向ＤＫの両端側が回転方向ＤＪに向けて延びており、第２凸状部１１１Ｂは、回転方向ＤＪに向けて逆Ｖ字状に配置されている。また、抑止部形成ロール１１０は、図示しないヒータによって加熱される。このため、加熱した第１凸状部１１１Ａ及び第２凸状部１１１Ｂを樹脂材ＫＭに押しつけることができる。
【００８３】
また、複数の円板カッターからなる切断部１２０は、樹脂材ＫＭの短手方向ＤＢの寸法が、前述した第１セパレータ４０及び第２セパレータ５０の短手方向ＤＢの寸法と同じになるように、樹脂材ＫＭを長手方向ＤＣに切断する。具体的には、切断部１２０は、上述した抑止部形成ロール１１０の第２凸状部１１１Ｂが形成したＶ字状の抑止部の中心を通るように切断する。
【００８４】
まず、巻出し部１３０から帯状の樹脂材ＫＭを巻き出し、抑止部形成ロール１１０と補助ロール１５０との間を通過させる（図１４参照）。このとき、加熱した第１凸状部１１１Ａ及び第２凸状部１１１Ｂ、及び、補助ロール１５０の円筒面で、樹脂材ＫＭを挟み込み、第１凸状部１１１Ａ及び第２凸状部１１１Ｂで樹脂材ＫＭを厚さ方向ＤＴに押圧しつつ加熱する。これにより、樹脂材ＫＭには、長手方向ＤＣに沿う多数の抑止部が並んで形成される。この後、上述した切断部１２０において、その樹脂材ＫＭを長手方向ＤＣに切断する。切断した後、巻取り部１４０によって、第１セパレータ４０よりも長手方向ＤＣに長い寸法の裁断前第１セパレータ４０Ｂ（或いは、第２セパレータ５０よりも長手方向ＤＣに長い寸法の裁断前第２セパレータ５０Ｂ）を巻き取る。そして、巻取り部１４０に巻き取った裁断前第１セパレータ４０Ｂ（裁断前第２セパレータ５０Ｂ）を、長手方向ＤＣに裁断して、前述した第１セパレータ４０（第２セパレータ５０）を作製する（図７参照）。
【００８５】
以上のようにしてできた第１セパレータ４０は、抑止部形成ロール１１０で樹脂材ＫＭを厚さ方向ＤＴに押圧して、自身の第２厚みＴ２が周囲の樹脂材ＫＭの第１厚みＴ１より薄くされ（Ｔ２＜Ｔ１）、樹脂材ＫＭをなすポリマの長手方向ＤＣの配向性を低下させた押圧熱処理部の抑止部ＣＳ１，ＣＳ２を有する（図７参照）。また、第２セパレータ５０は、自身の周囲の第１厚みＴ１より厚み（第２厚み）Ｔ２が薄くされ（Ｔ２＜Ｔ１）、樹脂材ＫＭをなすポリマの長手方向ＤＣの配向性を低下させた押圧熱処理部の抑止部ＣＳ３，ＣＳ４を有する（図７参照）。
【００８６】
次いで、捲回工程について説明する。前述のように作製した正極板２０及び負極板３０を、上述のように作製した、抑止部ＣＳ１，ＣＳ２を有する第１セパレータ４０と、抑止部ＣＳ３，ＣＳ４を有する第２セパレータ５０と共に円筒状に捲回した。このとき、第１セパレータ４０、負極板３０、第２セパレータ５０及び正極板２０の順に捲回した。このため、第１セパレータ４０の内側には正極板２０、正極板２０の内側には第２セパレータ５０、第２セパレータ５０の内側には負極板３０が配置される（図１５参照）。また、第１セパレータ４０及び第２セパレータ５０は、捲回周方向ＤＡのうち、前述した内周捲回側ＤＡ１から捲回した。さらに、正極板２０と負極板３０とは、正極露出部２０Ｇと負極露出部３０Ｇとが、軸線方向ＤＸに、互いに逆側に位置するように配置した。捲回後、円筒面を両側から押し潰して、横断面が扁平な長円形状で扁平捲回型の電極体１０を作製した。
【００８７】
その後、正極板２０に正極端子部材６０を、負極板３０に負極端子部材７０を、それぞれ溶接する。そして、電極体１０を電池ケース本体８１に収容し、電解液を注液した後、電池ケース本体８１を封口蓋８２で封口して、電池１を完成させた（図１，２参照）。
【００８８】
本実施形態にかかる電池１の製造方法では、第１端縁近接部４１の湾曲捲回部１１に配置される部位（湾曲配置部となる部位）に抑止部ＣＳ１を、第２端縁近接部４２の湾曲捲回部１１に配置される部位に抑止部ＣＳ２を予め設けた第１セパレータ４０と、第３端縁近接部５１の湾曲捲回部１１に配置される部位に抑止部ＣＳ３を、第４端縁近接部５２の湾曲捲回部１１に配置される部位に抑止部ＣＳ４を予め設けた第２セパレータ５０を捲回する捲回工程を備える。かくして、使用時に電池１内の温度が上昇して、第１セパレータ４０及び第２セパレータ５０が捲回周方向ＤＡに熱収縮した場合でも、抑止部ＣＳ１〜ＣＳ４を設けた端縁近接部４１，４２，５１，５２に亀裂が生じたり進行して、この亀裂を通じて正極板２０と負極板３０との間に短絡が生じるのを抑制した電池１を容易に製造できる。
【００８９】
また、捲回工程では、多数の抑止部ＣＳ１及び抑止部ＣＳ２を、それぞれ第１セパレータ４０における端縁近接部４１，４２の長手方向ＤＣ（捲回周方向ＤＡ）全体に亘って形成した第１セパレータ４０を用いる。また、多数の抑止部ＣＳ３及び抑止部ＣＳ４を、それぞれ第２セパレータ５０における端縁近接部５１，５２の長手方向ＤＣ（捲回周方向ＤＡ）全体に亘って形成した第２セパレータ５０を用いる。このため、捲回工程において、このような抑止部ＣＳ１，ＣＳ２、及び、抑止部ＣＳ３，ＣＳ４の長手方向ＤＣ（捲回周方向ＤＡ）の位置について考慮する必要がなく、第１セパレータ４０，第２セパレータ５０を容易に捲回することができる。さらに、各抑止部ＣＳ１〜ＣＳ４を、それぞれ対応する第１端縁近接部４１の湾曲配置部４１Ｒ、第２端縁近接部４２の湾曲配置部４２Ｒ、第３端縁近接部５１の湾曲配置部５１Ｒ、及び、第４端縁近接部５２の湾曲配置部５２Ｒに確実に設けた電池１を製造することができる。
【００９０】
以上において、本発明を実施形態に即して説明したが、本発明は上記実施形態に限定されるものではなく、その要旨を逸脱しない範囲で、適宜変更して適用できることは言うまでもない。
【００９１】
例えば、実施形態では、第１セパレータ４０の第１端縁近接部４１に抑止部ＣＳ１を、第２端縁近接部４２に抑止部ＣＳ２を、第２セパレータ５０の第３端縁近接部５１に抑止部ＣＳ３を、第４端縁近接部５２に抑止部ＣＳ４をそれぞれ形成した形態を示した（図２，３参照）。しかし、例えば、第１端縁近接部４１のうち湾曲配置部４１Ｒのみに抑止部ＣＳ１を、第２端縁近接部４２のうち湾曲配置部４２Ｒのみに抑止部ＣＳ２を、第３端縁近接部５１のうち湾曲配置部５１Ｒのみに抑止部ＣＳ３を、第４端縁近接部５２のうち湾曲配置部５２Ｒのみに抑止部ＣＳ４をそれぞれ設けた形態としても良い（図１６参照）。
【００９２】
また、実施形態では、抑止部ＣＳ１〜ＣＳ４を、第１セパレータ４０及び第２セパレータ５０の各端縁近接部（第１端縁近接部４１，第２端縁近接部４２，第３端縁近接部５１，第４端縁近接部５２）にそれぞれ設けた形態を示した（図２，３参照）。しかし、例えば、図１７に示すように、第１端縁近接部４１のみに抑止部ＣＳ１を設けるなど、抑止部を各端縁近接部のいずれか１つの部位に設けた形態や、抑止部を各端縁近接部のうちの２つ或いは３つの部位に設けた形態としても良い。
【００９３】
また、実施形態では、短線状の形態の抑止部ＣＳ１〜ＣＳ４を多数設けた（図２，３参照）。しかし、例えば、抑止部ＣＳ１〜ＣＳ４を円形状（図１８参照）や多角形状（例えば、矩形状（図１９参照））としても良い。また、図１８，１９に示すように、抑止部ＣＳ１〜ＣＳ４を、セパレータの各端縁４６Ａ，４６Ｂ，５６Ａ，５６Ｂから離間して形成した形態としても良い。
【００９４】
また、実施形態では、前述した角度θ１〜θ４をいずれも７５°（θ１，θ２，θ３，θ４＝７５°）とした抑止部ＣＳ１〜ＣＳ４を第１セパレータ４０及び第２セパレータ５０に設けた形態を示した。しかし、例えば、角θ１〜θ４がθ１，θ２，θ３，θ４＝０°の短線状の抑止部ＣＳ１〜ＣＳ４を設けても良い（図２０参照）。また、セパレータの端縁から、これに対して斜めで軸線方向ＤＸ内側、かつ、セパレータの捲回周方向ＤＡのうち、内周捲回側ＤＡ１とは逆側に向けて延びる（角θ１〜θ４が負の）抑止部ＣＳ１〜ＣＳ４を設けても良い（図２１参照）。さらに、内周捲回側ＤＡ１に向けて延びるものと内周捲回側ＤＡ１とは逆側に向けて延びるものとを、捲回周方向ＤＡに交互に配置した抑止部ＣＳ１〜ＣＳ４（図２２参照）を設けても良い。
【００９５】
また、実施形態では、第１セパレータ４０及び第２セパレータ５０の捲回周方向ＤＡ全体に亘って、抑止部ＣＳ１〜ＣＳ４を分散して形成したものを示した（図２，３参照）。しかし、例えば、参考形態として示す、各端縁近接部４１，４２，５１，５２にセパレータ４０，５０の捲回周方向ＤＡに亘って連続して延びた形態（例えば、帯状）としても良い（図２３参照）。
【００９６】
また、実施形態では、それぞれ別体の第１セパレータ及び第２セパレータを用いた電池を示した。しかし、一体の第１セパレータ及び第２セパレータを用いた電池（即ち、例えば、１枚の樹脂材を捲回軸付近で折りたたんで、第１セパレータ及び第２セパレータとして用いた電池）としても良い。また、抑止部として、樹脂材を厚さ方向に押圧しつつ加熱して、ポリマの捲回周方向の配向性を低下させた部位を示した。しかし、例えば、樹脂材を加熱して、樹脂材をなすポリマの捲回周方向の配向性を低下させた部位や、樹脂材に樹脂テープを貼り付けて補強した部位としても良い。
【図１】
0005874737.tif 000002
【図２】
0005874737.tif 000003
【図３】
0005874737.tif 000004
【図４】
0005874737.tif 000005
【図５】
0005874737.tif 000006
【図６】
0005874737.tif 000007
【図７】
0005874737.tif 000008
【図８】
0005874737.tif 000009
【図９】
0005874737.tif 000010
【図１０】
0005874737.tif 000011
【図１１】
0005874737.tif 000012
【図１２】
0005874737.tif 000013
【図１３】
0005874737.tif 000014
【図１４】
0005874737.tif 000015
【図１５】
0005874737.tif 000016
【図１６】
0005874737.tif 000017
【図１７】
0005874737.tif 000018
【図１８】
0005874737.tif 000019
【図１９】
0005874737.tif 000020
【図２０】
0005874737.tif 000021
【図２１】
0005874737.tif 000022
【図２２】
0005874737.tif 000023
【図２３】
0005874737.tif 000024